(57)【要約】【課題】商用交流電源からの電力供給が絶たれた場合に、計時の機能を動作させる一次電池などのバックアップ電源を搭載する必要がない計時装置を提供する。【解決手段】電力線を介して電源回路１４が商用交流電源からの電力を取得し、計時部１３を動作させると共に、計時部１３のためのバックアップ電源は備えない。電源が投入された場合には、ＰＬＣモデム６により電力線通信を行って、インターネット上の時刻情報提供サービスから時刻情報を取得し、計時部１３が計時する時刻を補正する。【選択図】図１
2007309680.tif 000002
【特許請求の範囲】
【請求項１】
時刻の計時を行う計時手段を備える計時装置において、
電力線に接続する接続手段と、
電力線からの電力を取得して前記計時手段へ供給する電力供給手段と、
電力線を介して通信を行う電力線通信手段と、
該電力線通信手段により時刻情報を取得する時刻情報取得手段と、
該時刻情報取得手段が取得した時刻情報に基づいて、前記計時手段が計時する時刻の補正を行う時刻補正手段と
を備えることを特徴とする計時装置。
【請求項２】
装置の電源が投入された場合に、前記時刻情報取得手段が時刻情報を取得し、前記時刻補正手段が時刻の補正を行うようにしてある請求項１に記載の計時装置。
【請求項３】
前記時刻情報取得手段は、所定の時間毎に時刻情報を取得するようにしてあり、
前記時刻補正手段は、前記所定の時間毎に時刻の補正を行うようにしてある請求項１又は請求項２に記載の計時装置。
【請求項４】
前記電力線通信手段は、インターネットに接続することが可能な電力線通信モデムを有し、
前記時刻情報取得手段は、インターネットを介して時刻情報提供サービスが提供する時刻情報を取得するようにしてある請求項１乃至請求項３のいずれか１つに記載の計時装置。
【請求項５】
前記計時手段へ電力を供給するバックアップ電源を備えない請求項１乃至請求項４のいずれか１つに記載の計時装置。
【発明の詳細な説明】
【技術分野】
【０００１】
本発明は、商用交流電源に接続されて、商用交流電源からの電力供給により動作すると共に、内部の時計により時刻を計時する計時装置に関する。
【背景技術】
【０００２】
近年の電気機器では時計機能を搭載しているものが多く、時計機能を用いることにより指定時刻に自動的に電源オンして処理を行う機能、又は指定時刻に自動的に電源オフする機能等を実現できるため、これらの機能により機器の利便性が向上するという利点がある。また、例えばファクシミリ装置においては、ファクシミリ通信の履歴を記憶しており、通信の履歴としてデータの送受信完了時刻及びデータの送受信に要した時間等を記憶する際に時計機能が用いられる。
【０００３】
一方、近年注目されている通信技術として、電力線通信がある。電力線通信では、公衆電話回線又は光ファイバ等に代えて、屋外の電力線、所謂送電線を利用して家庭又は会社等とＩＳＰ（Ｉｎｔｅｒｎｅｔ  Ｓｅｒｖｉｃｅｓ  Ｐｒｏｖｉｄｅｒ）とを結ぶことができる。また、屋内の電気配線を利用して家庭内ネットワーク又は社内ネットワーク等を構築できるため、ネットワークのための専用の配線、所謂ＬＡＮケーブルを接続する必要がないという利点がある。
【０００４】
特許文献１においては、電力線を介して搬送される通信信号の受信及び送信を行うモデムを有する複写機と、電力線を介して複写機との通信を行う画像データ出力装置とを備え、画像データ出力装置にて生成した画像データに基づいて複写機が画像形成を行う複写システムが提案されている。この複写システムは、ネットワークを構築するための信号伝送専用線が必要ないため、低コスト且つ省スペースにネットワークを構築することができる。
【特許文献１】特開２００３−９２６４７号公報
【発明の開示】
【発明が解決しようとする課題】
【０００５】
時計機能を内部に搭載した電気機器では、商用交流電源からの電力供給により動作するものであっても、電源オフの状態で時計機能は動作する必要がある。これは、例えばユーザが商用交流電源からの電力供給を遮断したとき、所謂コンセントからプラグを外したときに時計機能が停止する場合には、ユーザがプラグをコンセントに接続する毎に時計の時刻を合わせる必要があり、操作が煩わしいという問題があり、また、停電などが発生した場合に同様の問題が発生する虞があるためであり、時計機能を搭載した電気機器は、時計機能に電力を供給するアルカリ電池又はリチウム電池等の一次電池を備え、商用交流電源からの電力供給の有無に関係なく、時計機能が動作するようにしてある。
【０００６】
しかしながら、一次電池の容量には限界があるため、一次電池が寿命に達した場合には、ユーザが一次電池の交換を行わなければならず、ユーザにとってコスト高であるという問題がある。また、近年では環境問題に対処するために、機器の製造者又は販売者等に使用済みの一次電池の回収義務が課せられることがあり、回収コストが高いという問題があった。
【０００７】
このため、時計機能を有する機器にネットワークに接続する通信機能を搭載し、ネットワーク上のサーバから時刻情報を取得して時計機能の時刻合わせを行う方法が提案されている。しかしながら、ネットワークに接続するために、従来の機器では例えばＬＡＮケー
ブルなどの通信線をルータ又はＨＵＢ等のネットワーク機器に接続する必要があり、通信線の接続が煩わしいという問題がある。特に近年では多くの電気機器に時計機能が搭載されており、通信線を介して全ての機器をネットワーク機器に接続することは非常に困難である。また、電気機器が光ファイバ又はＡＤＳＬ（Ａｓｙｍｍｅｔｒｉｃ  Ｄｉｇｉｔａｌ  Ｓｕｂｓｃｒｉｂｅｒ  Ｌｉｎｅ）等の通信環境の整えられた場所で使用されるとは限らないため、通信環境が整えられていない場合には正確な時刻の計時を行うことができないという問題がある。
【０００８】
本発明は、斯かる事情に鑑みてなされたものであって、その目的とするところは、電力線からの電力を取得して時刻の計時を行うと共に、電力線を介した通信によって時刻情報を取得し、時刻の補正を行う構成とすることにより、計時のために電力を供給する一次電池が必要なく、また、ＬＡＮケーブルなどの通信専用線を接続する必要がなく、機器が電力線に接続された状態では確実な計時を行うことができる計時装置を提供することにある。
【０００９】
また本発明の他の目的とするところは、装置の電源が投入された場合に、電力線を介した通信によって時刻情報を取得し、時刻の補正を行う構成とすることにより、通信専用線を接続することなく、例えばユーザが装置のプラグをコンセントに接続するのみで、自動的に時刻の補正を行うことができる計時装置を提供することにある。
【００１０】
また本発明の他の目的とするところは、所定の時間毎に時刻情報を取得して時刻の補正を行う構成とすることにより、正確な時刻の計時を行うことができる計時装置を提供することにある。
【００１１】
また本発明の他の目的とするところは、インターネットに接続することが可能な電力線通信モデムを搭載し、インターネットを介して時刻情報提供サービスが提供する時刻情報を取得する構成とすることにより、ＬＡＮケーブルなどの通信専用線を必要とせず、簡単な構成で正確な時刻の計時を行うことができる計時装置を提供することにある。
【００１２】
また本発明の他の目的とするところは、時刻の計時処理を行うためのバックアップ電源を備えない構成とすることにより、バックアップ電源として搭載される一次電池の交換に必要なコスト、及び使用済みの一次電池の回収に必要なコスト等が必要ない計時装置を提供することにある。
【課題を解決するための手段】
【００１３】
第１発明に係る計時装置は、時刻の計時を行う計時手段を備える計時装置において、電力線に接続する接続手段と、電力線からの電力を取得して前記計時手段へ供給する電力供給手段と、電力線を介して通信を行う電力線通信手段と、該電力線通信手段により時刻情報を取得する時刻情報取得手段と、該時刻情報取得手段が取得した時刻情報に基づいて、前記計時手段が計時する時刻の補正を行う時刻補正手段とを備えることを特徴とする。
【００１４】
本発明においては、商用交流電源に接続された電力線から電力を取得して、この電力により時刻の計時を行う。また、電力線を介して通信を行う手段を搭載し、電力線を介した通信により時刻情報を取得して時刻の補正を行う。装置が電力線に接続されておらず、時刻の計時を行うことができない場合であっても、装置を使用する際には、装置は必ず電力線に接続されるため、電力線を介した通信により時刻情報を取得して時刻を補正し、正確な時刻の計時を再開することができる。よって、装置が使用されておらず、電力線に接続されていない状態では、計時を行う必要がないため、バックアップ電源として一次電池などを備える必要がなくなる。また、電力線を介して通信を行うため、ＬＡＮケーブルなどの通信専用線を必要とせず、ユーザが通信専用線を接続する煩わしさがなく、光ファイバ
あるいはＡＤＳＬ等の通信環境が整備されていない場合、又はルータあるいはＨＵＢ等のネットワーク機器のない環境の場合であっても、時刻の補正を行うことができる。
【００１５】
また、第２発明に係る計時装置は、装置の電源が投入された場合に、前記時刻情報取得手段が時刻情報を取得し、前記時刻補正手段が時刻の補正を行うようにしてあることを特徴とする。
【００１６】
本発明においては、装置の電源が投入された場合に、電力線を介した通信によって時刻情報を取得し、時刻の補正を行う。一次電池などのバックアップ電源を備えておらず、商用交流電源からの電力が供給されていない場合には、時刻の計時を行うことができないため、電源が投入されて電力が供給された場合に、時刻情報を取得して補正することで、正確な時刻の計時を再開できる。このとき、ユーザが通信専用線を接続する必要なく、電力線への接続を行うのみでよい。
【００１７】
また、第３発明に係る計時装置は、前記時刻情報取得手段が、所定の時間毎に時刻情報を取得するようにしてあり、前記時刻補正手段は、前記所定の時間毎に時刻の補正を行うようにしてあることを特徴とする。
【００１８】
本発明においては、所定の時間毎に時刻情報を取得して時刻の補正を行う。商用交流電源からの電力が供給されている場合に、例えば１時間毎又は毎日午前３時などに時刻の補正を行う。商用交流電源から常に電力が供給される使用状態、即ち装置のプラグが常にコンセントに接続された状態である場合に、より正確な時刻の計時を行うことができる。
【００１９】
また、第４発明に係る計時装置は、前記電力線通信手段が、インターネットに接続することが可能な電力線通信モデムを有し、前記時刻情報取得手段は、インターネットを介して時刻情報提供サービスが提供する時刻情報を取得するようにしてあることを特徴とする。
【００２０】
本発明においては、インターネットに接続することが可能な電力線通信モデムを搭載し、インターネットを介して時刻情報提供サービスが提供する時刻情報を取得し、取得した時刻情報を基に時刻の補正を行う。電力線通信モデムにより電力線を介してインターネットに接続できるため、光ファイバ又はＡＤＳＬ等の通信環境が整備されていない場合であっても時刻の補正を行うことができ、また、通信専用線を接続することなく、簡単にネットワークを構築できる。
【００２１】
また、第５発明に係る計時装置は、前記計時手段へ電力を供給するバックアップ電源を備えないことを特徴とする。
【００２２】
本発明においては、時刻の計時処理を行うために、一次電池などのバックアップ電源を備えない。これにより、一次電池の交換及び回収等を行う必要がなくなる。
【発明の効果】
【００２３】
第１発明による場合は、電力線からの電力を取得して時刻の計時を行うと共に、電力線を介した通信によって時刻情報を取得し、時刻の補正を行う構成とすることにより、装置を使用する際に必ず電力線に接続され、電力線を介した通信により時刻情報を取得して時刻を補正し、正確な時刻の計時を再開することができるため、バックアップ電源として一次電池などを備える必要がなく、一次電池の交換及び回収等に必要なコストを削減でき、装置の信頼性を高めることができる。また、ＬＡＮケーブルなどの通信専用線を必要としないため、ユーザが通信専用線を接続する煩わしさがなく、通信環境が整備されていない場合又はネットワーク機器のない環境の場合であっても、時刻の補正を行うことができる
ため、装置の利便性を高めることができる。
【００２４】
また、第２発明による場合は、装置の電源が投入された場合に、電力線を介した通信によって時刻情報を取得し、時刻の補正を行う構成とすることにより、例えばユーザが装置のプラグをコンセントに接続した場合に、自動的に時刻の補正を行うことができ、ユーザが時刻の設定を行う必要がなく、また、時刻情報を取得するために通信専用線を接続する必要もないため、装置の利便性を高めることができる。また、電源投入後に正確な時刻の計時を再開できるため、装置の信頼性を高めることができる。
【００２５】
また、第３発明による場合は、例えば１時間毎又は毎日午前３時など、所定の時間毎に時刻情報を取得して時刻の補正を行う構成とすることにより、装置のプラグが常にコンセントに接続された状態である場合に、より正確な時刻の計時を行うことができるため、装置の信頼性を高めることができる。
【００２６】
また、第４発明による場合は、インターネットに接続することが可能な電力線通信モデムを搭載し、インターネットを介して時刻情報提供サービスが提供する時刻情報を取得する構成とすることにより、光ファイバ又はＡＤＳＬ等の通信環境が整備されていない場合であっても時刻の補正を行うことができるため、装置の利便性及び信頼性を高めることができる。また、ＬＡＮケーブルなどの通信専用線を接続する必要がないため、簡単にネットワークを構築できる。
【００２７】
また、第５発明による場合は、時刻の計時処理を行うための一次電池などのバックアップ電源を備えない構成とすることにより、一次電池の交換及び回収等を行う必要がなくなるため、交換及び回収等に必要なコストを削減できる。
【発明を実施するための最良の形態】
【００２８】
以下、本発明をその実施の形態を示す図面に基づき具体的に説明する。本実施の形態においては、計時装置として時計機能を有するファクシミリ装置を例に説明を行う。図１は、本発明の実施の形態に係るファクシミリ装置の構成を示すブロック図である。図において１は、ファクシミリ装置に備えられたＮＣＵ（Ｎｅｔｗｏｒｋ  Ｃｏｎｔｒｏｌ  Ｕｎｉｔ）２、アナログモデム３、読取部４、記録部５、ＰＬＣ（Ｐｏｗｅｒ  Ｌｉｎｅ  Ｃｏｍｍｕｎｉｃａｔｉｏｎ、電力線通信）モデム６、ＲＯＭ８、ＲＡＭ９、画像メモリ１０、表示部１１、操作部１２及び計時部１３等の各部の制御を行う制御部である。制御部１及び上述の各部はバス７を介して接続されており、電源回路１４から与えられる直流電圧により動作するようにしてある。
【００２９】
本実施の形態に係るファクシミリ装置は、電源コード１５を備えており、電源コード１５の先端に設けられたプラグ（図示せず）を、室内の壁などに設けられたコンセント（図示せず）に接続することによって、電力線を介して電源回路１４を商用の交流電源に接続することができるようにしてある。電源回路１４は、交流電源から得られる交流電圧を直流電圧に変換して、ファクシミリ装置の各部へ供給し、各部を動作させるようにしてある。
【００３０】
制御部１は、具体的にはＣＰＵで構成されており、ファクシミリ装置の各部を制御すると共に、ＲＯＭ８に記憶された制御プログラムにしたがって、種々のソフトウェア的機能を実行するようにしてある。また、ＮＣＵ２は、ＰＳＴＮ（Ｐｕｂｌｉｃ  Ｓｗｉｔｃｈｅｄ  Ｔｅｌｅｐｈｏｎｅ  Ｎｅｔｗｏｒｋ、公衆電話回線網）との回線の閉結及び開放の動作を行うハードウェアであり、ＰＳＴＮとアナログモデム３とのインターフェース回路を有している。アナログモデム３は、データの送信を行う場合には、デジタルの画像データをアナログの音声信号に変換し、ＰＳＴＮを介して他のファクシミリ装置へ送信する
ようにしてあり、また、データの受信を行う場合には、アナログの音声信号をデジタルの画像データに変換し、画像メモリ１０へ記憶するようにしてある。ＮＣＵ２及びアナログモデム３により、ファクシミリ装置は、ＰＳＴＮを介して他のファクシミリ装置と通信を行うことができるようにしてある。
【００３１】
読取部４は、例えばＣＣＤ（Ｃｈａｒｇｅ  Ｃｏｕｐｌｅｄ  Ｄｅｖｉｃｅ）を利用した光学系で原稿を読み取り、読み取った原稿を基にした画像データを出力するようにしてある。記録部５は、電子写真方式のプリンタ装置であって、ファクシミリ通信により受信した画像データ又は読取部４にて読み取った原稿の画像データ等を記録用紙に記録するようにしてある。
【００３２】
ＲＯＭ８には、ファクシミリ装置の動作に必要な種々のソフトウェアの制御プログラムが記憶されており、マスクＲＯＭ、ＥＥＰＲＯＭ又はフラッシュメモリ等の不揮発性のメモリ素子により構成されている。ＲＡＭ９は、制御部１が制御処理又は演算処理等を行う際に発生する一時的なデータを記憶するものであり、ＳＲＡＭ、ＤＲＡＭ又はフラッシュメモリ等の書き換え可能なメモリ素子により構成されている。画像メモリ１０もまた、ＳＲＡＭ、ＤＲＡＭ又はフラッシュメモリ等の書き換え可能なメモリ素子により構成され、読取部４が原稿を読み取ることにより得られた画像データ及び他のファクシミリ装置から受信した画像データ等を一時的に記憶するものである。
【００３３】
表示部１１は、例えば液晶パネルなどにより構成されるものであり、ファクシミリ装置の動作状態又はユーザへの警告メッセージ等を表示するようにしてある。操作部１２は、複数のボタン又はスイッチ等を有しており、ユーザがこれらのボタン又はスイッチ等へ与える操作を受け付けて制御部１へ通知するようにしてある。制御部１は、操作部１２に与えられた操作に応じて処理を行うようにしてある。
【００３４】
また、ファクシミリ装置は、ファクシミリ通信によるデータの送受信を行った場合に、通信履歴として送信先のファクシミリ番号、送信データのデータ量、送信完了時刻及び送信に要した時間等を記憶するようにしてあり、この場合の送信完了時刻及び送信に要した時間等は、計時部１３が計時する時刻を基にしている。計時部１３は、水晶振動子などの一定周期の信号を発する発振素子を有し、一定周期の信号によりカウンタを動作させることで時刻の計時を行うようにしてある。計時部１３が計時する時刻は、例えばファクシミリ通信によるデータの送信を指定時刻に実行するタイマ機能、ファクシミリ装置が一定時間使用されていない場合に自動的に省電力モードへ移行する機能等にも利用することができる。また、計時部１３が計時する時刻を、表示部１１に表示することも可能である。
【００３５】
ＰＬＣモデム６は、商用の交流電源から電力を取得するための電源コード１５に接続され、電源コード１５のプラグがコンセントに接続された場合に、電力線に接続されるようにしてある。ＰＬＣモデム６は、５０Ｈｚ又は６０Ｈｚの交流電圧が供給される電力線に高周波信号を重畳することによって、電力線を伝送路として双方向の通信を行うものである。図示は省略するが、ＰＬＣモデム６は電力線を介して屋外又は分電盤内等に設置されたＰＬＣモデム（以下、親ＰＬＣモデムという）とデータの送受信を行うようにしてあり、親ＰＬＣモデムには例えば光ファイバが接続され、光ファイバを介してインターネットに接続することが可能にしてある。これにより、本実施の形態に係るファクシミリ装置は、電力線通信によるインターネット接続を行って、データの送受信を行うことができるようにしてある。
【００３６】
本実施の形態に係るファクシミリ装置は、計時部１３のバックアップ電源をなす一次電池又は二次電池等を備えておらず、例えばユーザが電源コード１５のプラグをコンセントから外した場合、又は停電が発生した場合等には、計時部１３が計時する時刻は記憶され
ずに初期化されるようにしてある。このため、ファクシミリ装置に電源が投入された場合には、ＰＬＣモデム６による電力線通信を利用して、インターネット上の時刻情報提供サービスから正確な時刻情報を取得し、計時部１３が計時する時刻の補正を制御部１が行うようにしてある。
【００３７】
図２は、本発明の実施の形態に係るファクシミリ装置の制御部１が行う電源投入時の時刻補正処理の手順を示すフローチャートである。図示は省略するが、ファクシミリ装置には、電源が投入されて電力の供給が開始された場合に、電力供給開始を検知して各部をリセットする回路、所謂パワーオンリセット（以下、ＰＯＲという）回路を備えており、この回路からのＰＯＲの解除により制御部１の処理が開始されるようにしてある。
【００３８】
まず、制御部１は、ＰＯＲ回路によるＰＯＲが解除されたか否かを調べ（ステップＳ１）、ＰＯＲが解除されていない場合には（Ｓ１：ＮＯ）、ＰＯＲが解除されるまで待機する。ＰＯＲが解除された場合には（Ｓ１：ＹＥＳ）、ＰＬＣモデム６の電力線通信により、インターネット上の時刻情報提供サービスに接続する（ステップＳ２）。このときに接続に必要な認証処理などが行われ、接続に成功した後、時刻情報送信要求を時刻情報提供サービスへ送信する（ステップＳ３）。次いで、時刻情報提供サービスからの時刻情報を受信したか否かを調べ（ステップＳ４）、受信していない場合は（Ｓ４：ＮＯ）、受信するまで待機する。時刻情報を受信した場合（Ｓ４：ＹＥＳ）、受信した時刻情報を基に計時部１３が計時する時刻の補正を行って（ステップＳ５）、処理を終了する。
【００３９】
また、本実施の形態に係るファクシミリ装置は、所定の時間毎に計時部１３が計時する時刻の補正を行うようにしてある。図３は、本発明の実施の形態に係るファクシミリ装置の制御部１が行う所定時間毎の時刻補正処理の手順を示すフローチャートである。図３においては、毎日ＡＭ３：００に、即ち２４時間毎に時刻の補正を行う場合を一例として図示してあるが、これに限るものではなく、ＡＭ０：００又はＰＭ１：００等の他の時刻に処理を行う構成であってもよく、１時間毎又は１０分毎等の他の時間間隔で処理を行う構成であってもよく、ユーザが処理を行う時刻又は時間間隔を設定することができる構成であってもよい。
【００４０】
まず、制御部１は、計時部１３が計時する時刻がＡＭ３：００であるか否かを調べ（ステップＳ２１）、ＡＭ３：００でない場合は（Ｓ２１：ＮＯ）、ＡＭ３：００になるまで待機する。時刻がＡＭ３：００の場合には（Ｓ２１：ＹＥＳ）、ＰＬＣモデム６の電力線通信により、インターネット上の時刻情報提供サービスに接続する（ステップＳ２２）。このときに接続に必要な認証処理などが行われ、接続に成功した後、時刻情報送信要求を時刻情報提供サービスへ送信する（ステップＳ２３）。次いで、時刻情報提供サービスからの時刻情報を受信したか否かを調べ（ステップＳ２４）、受信していない場合は（Ｓ２４：ＮＯ）、受信するまで待機する。時刻情報を受信した場合（Ｓ２４：ＹＥＳ）、受信した時刻情報を基に計時部１３が計時する時刻の補正を行って（ステップＳ２５）、処理を終了する。
【００４１】
以上の構成のファクシミリ装置においては、ＰＬＣモデム６を備えて電力線通信を行い、時刻情報提供サービスから時刻情報を取得して、計時部１３が計時する時刻の補正を行う構成とすることにより、ファクシミリ装置の電源ケーブルのプラグがコンセントに接続された状態であれば、計時部１３が正確な時刻を計時することができ、この状態はファクシミリ装置の使用状態であるため、ユーザがファクシミリ装置を使用する場合には、計時部１３が正確な時刻を計時することができる。よって、ファクシミリ装置の未使用状態で、計時部１３へ電力を供給するための１次電池などのバックアップ電源が必要ないため、１次電池の交換又は回収に必要なコストを削減できる。また、ファクシミリ装置をインターネットに接続するために、ＬＡＮケーブルなどの通信専用の配線を設ける必要がないた
め、ネットワークの構築が簡単であり、ユーザは従来のファクシミリ装置と同様に本実施の形態に係るファクシミリ装置を使用することができる。
【００４２】
なお、本実施の形態においては、ファクシミリ装置を例に説明を行ったが、これに限るものではなく、内部に時計機能を備え、商用の交流電源からの電力供給により動作する装置であれば、同様の構成を適用することが可能である。
【図面の簡単な説明】
【００４３】
【図１】本発明の実施の形態に係るファクシミリ装置の構成を示すブロック図である。
【図２】本発明の実施の形態に係るファクシミリ装置の制御部が行う電源投入時の時刻補正処理の手順を示すフローチャートである。
【図３】本発明の実施の形態に係るファクシミリ装置の制御部が行う所定時間毎の時刻補正処理の手順を示すフローチャートである。
【符号の説明】
【００４４】
１  制御部（時刻情報取得手段、時刻補正手段）
２  ＮＣＵ
３  アナログモデム
４  読取部
５  記録部
６  ＰＬＣモデム（電力線通信手段）
１３  計時部（計時手段）
１４  電源回路（電力供給手段）
１５  電源コード（接続手段）
【図１】
2007309680.tif 000003
【図２】
2007309680.tif 000004
【図３】
2007309680.tif 000005